(57)【要約】【課題】より均一且つより小さな操作抵抗で閉塞操作ができるバルブ、水栓及び不凍水抜栓を提供する。【解決手段】止水用弁体３１が固定状態に配される先端軸部５１と、該先端軸部５１の上側に設けられたピストン状軸部５３と、該ピストン状軸部５３の上側に設けられて上下動操作機構７０に連結される後端連結部５４とが設けられたコマ軸５０を備え、該コマ軸５０のピストン状軸部５３が、通水開閉弁部３０の連通口１２及び弁座１３が設けられている本体１０の通水路１１を形成する部位よりも上側に設けられたスリーブ状部１４の内部に、上下に変位可能にシールされて配され、コマ軸５０には、スリーブ状部１４の内部であってピストン状軸部５３の上側と、通水路１１とを連通する連通軸孔５５が設けられている。【選択図】図１
2019112771.tif 000002
【特許請求の範囲】
【請求項１】
本体の内部に、開閉弁体の変位によって流路の開閉を行う開閉弁部が設けられ、前記開閉弁体の変位操作を行う変位動操作機構を備えるバルブにおいて、
前記開閉弁体が固定状態に配される先端軸部と、該先端軸部に連続して設けられたピストン状軸部と、該ピストン状軸部に連続して設けられて前記変位動操作機構に連結される後端連結部とが設けられたコマ軸を備え、
該コマ軸の前記ピストン状軸部が、前記開閉弁部の連通口及び弁座が設けられている前記本体の前記流路を形成する部位よりも前記変位動操作機構側に設けられたスリーブ状部の内部に、変位可能にシールされて配され、
前記コマ軸には、前記スリーブ状部の内部であって前記ピストン状軸部の前記変位動操作機構側と、前記流路とを連通する連通軸孔が設けられていることを特徴とするバルブ。
【請求項２】
本体の内部に、止水用弁体の上下の変位によって通水路の開閉を行う通水開閉弁部が設けられ、前記止水用弁体の上下の操作を行う上下動操作機構を備える水栓において、
前記止水用弁体が固定状態に配される先端軸部と、該先端軸部の上側に設けられたピストン状軸部と、該ピストン状軸部の上側に設けられて前記上下動操作機構に連結される後端連結部とが設けられたコマ軸を備え、
該コマ軸の前記ピストン状軸部が、前記通水開閉弁部の連通口及び弁座が設けられている前記本体の前記通水路を形成する部位よりも上側に設けられたスリーブ状部の内部に、上下に変位可能にシールされて配され、
前記コマ軸には、前記スリーブ状部の内部であって前記ピストン状軸部の上側と、前記通水路とを連通する連通軸孔が設けられていることを特徴とする水栓。
【請求項３】
本体の内部で、止水用弁体の上下の変位によって通水路の開閉を行う通水開閉弁部の上側に、水抜用弁体の上下の変位によって水抜通路の開閉を行う水抜開閉弁部が配され、前記通水開閉弁部及び前記水抜開閉弁部が上下動操作機構による上下動で連係操作され、通水と水抜きとの切換えを行う不凍水抜栓において、
前記止水用弁体が固定状態に配される先端軸部と、該先端軸部の上側に設けられ前記水抜用弁体に挿通された状態で該水抜用弁体の上下の変位を案内する中途軸部と、該中途軸部の上側に設けられたピストン状軸部と、該ピストン状軸部の上側に設けられて前記上下動操作機構に連結される後端連結部とが設けられたコマ軸を備え、
該コマ軸の前記ピストン状軸部が、前記通水開閉弁部の連通口及び弁座が設けられている前記本体の前記通水路を形成する部位よりも上側に設けられたスリーブ状部の内部に、上下に変位可能にシールされて配され、
前記コマ軸には、前記スリーブ状部の内部であって前記ピストン状軸部の上側と、前記通水路とを連通する連通軸孔が設けられていることを特徴とする不凍水抜栓。
【請求項４】
前記ピストン状軸部と、前記連通口との直径が同等に設けられていることを特徴とする請求項３記載の不凍水抜栓
【請求項５】
前記上下動操作機構が、前記本体のスリーブ状部の上側に設けられた雌螺子部に、雄螺子部を備えるスピンドルが螺合し、該スピンドルの先端連結部が、回転動は伝達しないで上下動を伝達するように、前記コマ軸の後端連結部に回転自在且つ上下方向に一体化するように連結されることで構成されていることを特徴とする請求項３又は４記載の不凍水抜栓。
【請求項６】
前記本体が、前記通水路を形成する下部本体と、前記スリーブ状部及び前記水抜通路を形成する上部本体とによって構成されていることを特徴とする請求項３〜５のいずれかに記載の不凍水抜栓。
【請求項７】
前記水抜用弁体が、前記コマ軸の中途軸部が挿通されることで上下方向に案内されるように挿通孔を備えるリング状に形成されており、該水抜用弁体と前記止水用弁体との間に、該水抜用弁体を前記水抜通路の排水口を閉じる方向へ付勢する弾性部材が配されていることを特徴とする請求項３〜６のいずれかに記載の不凍水抜栓。
【発明の詳細な説明】
【技術分野】
【０００１】
本発明は、本体の内部に、開閉弁体の変位によって流路の開閉を行う開閉弁部が設けられ、前記開閉弁体の変位操作を行う変位動操作機構を備えるバルブ、水栓及び不凍水抜栓に関する。
【背景技術】
【０００２】
従来、不凍水抜栓としては、弁切換時における中間排水を防止するために止水栓の全閉後排水孔を開口し、止水栓開口前に排水孔を閉塞させる作用を２つのスプリングの弾力の強弱差によって段階的に行わせる不凍止水栓において、下スピンドルの下端に内蔵されるコマスプリングとほぼ同一バネ定数を有するコイルスプリングを上スピンドルに軸装すると共に、そのコイルスプリングの下端を上スピンドルの外周に係着し、上端をキャップの内底に係着することにより、弁切換時における感触抵抗を一定にして成る不凍止水栓（特許文献１参照）が、本出願人によって提案されている。
【０００３】
また、不凍水抜栓の止水用弁体としては、コマ部材及びコマパッキンによって構成されており、下方に変位した初期の段階でコマパッキンの下端円盤部が弁座状開口の内周に嵌って仮にシール（周シール）して通水を止めることができ、さらに下方に変位した段階で、コマパッキンの水平段部（下面）が弁座状開口の周縁の弁座面（上面）に当接して、強固にシール（面シール）できることで、その弁座状開口３のシールが確実・強固になされるまでのタイムラグの間に、第１水抜弁体が下方に押されて、第１の水抜弁機構の排水路が開く構成になっており、弁座状開口のシールがなされた後に、第１の水抜弁機構の排水路が適切に開くように構成され、第１流入口と直接的に連通させて第１の水抜弁機構の排水路から洩れ出ることを防止できる。（特許文献２参照）ものが、本出願人によって提案されている。
【先行技術文献】
【特許文献】
【０００４】
【特許文献１】実公平３−４４８５０号公報（請求項１）
【特許文献２】２０１７−１３３２１４号公報（［００２５］）
【発明の概要】
【発明が解決しようとする課題】
【０００５】
バルブ、水栓及び不凍水抜栓に関して解決しようとする課題は、従来の構成では、開閉弁部（通水開閉弁部）において開閉弁体（止水用弁体）で閉じる操作を行って流路（通水路）の連通口を全閉状態とする前に、その閉塞操作にかかる抵抗（例えばハンドルの回動トルク）が大きくなるため、その閉塞操作を感触的にスムースにできない点にある。これに対しては、特許文献１において、コイルスプリングを利用し、操作全体についての操作抵抗を大きくして操作性を均一にする方法や、全閉状態とする直前に操作抵抗は大きくなるものの全体的に操作抵抗を小さくする方法が開示されているが、より均一且つより小さな操作抵抗で閉塞操作ができるバルブ、水栓及び不凍水抜栓については提案されていない。
【０００６】
そこで、本発明の目的は、より均一且つより小さな操作抵抗で閉塞操作ができるバルブ、水栓及び不凍水抜栓を提供することにある。
【課題を解決するための手段】
【０００７】
本発明は上記目的を達成するために次の構成を備える。
本発明にかかるバルブの一形態によれば、本体の内部に、開閉弁体の変位によって流路の開閉を行う開閉弁部が設けられ、前記開閉弁体の変位操作を行う変位動操作機構を備えるバルブにおいて、前記開閉弁体が固定状態に配される先端軸部と、該先端軸部に連続して設けられたピストン状軸部と、該ピストン状軸部に連続して設けられて前記変位動操作機構に連結される後端連結部とが設けられたコマ軸を備え、該コマ軸の前記ピストン状軸部が、前記開閉弁部の連通口及び弁座が設けられている前記本体の前記流路を形成する部位よりも前記変位動操作機構側に設けられたスリーブ状部の内部に、変位可能にシールされて配され、前記コマ軸には、前記スリーブ状部の内部であって前記ピストン状軸部の前記変位動操作機構側と、前記流路とを連通する連通軸孔が設けられている。
【０００８】
本発明にかかる水栓の一形態によれば、本体の内部に、止水用弁体の上下の変位によって通水路の開閉を行う通水開閉弁部が設けられ、前記止水用弁体の上下の操作を行う上下動操作機構を備える水栓において、前記止水用弁体が固定状態に配される先端軸部と、該先端軸部の上側に設けられたピストン状軸部と、該ピストン状軸部の上側に設けられて前記上下動操作機構に連結される後端連結部とが設けられたコマ軸を備え、該コマ軸の前記ピストン状軸部が、前記通水開閉弁部の連通口及び弁座が設けられている前記本体の前記通水路を形成する部位よりも上側に設けられたスリーブ状部の内部に、上下に変位可能にシールされて配され、前記コマ軸には、前記スリーブ状部の内部であって前記ピストン状軸部の上側と、前記通水路とを連通する連通軸孔が設けられている。
【０００９】
本発明にかかる不凍水抜栓の一形態によれば、本体の内部で、止水用弁体の上下の変位によって通水路の開閉を行う通水開閉弁部の上側に、水抜用弁体の上下の変位によって水抜通路の開閉を行う水抜開閉弁部が配され、前記通水開閉弁部及び前記水抜開閉弁部が上下動操作機構による上下動で連係操作され、通水と水抜きとの切換えを行う不凍水抜栓において、前記止水用弁体が固定状態に配される先端軸部と、該先端軸部の上側に設けられ前記水抜用弁体に挿通された状態で該水抜用弁体の上下の変位を案内する中途軸部と、該中途軸部の上側に設けられたピストン状軸部と、該ピストン状軸部の上側に設けられて前記上下動操作機構に連結される後端連結部とが設けられたコマ軸を備え、該コマ軸の前記ピストン状軸部が、前記通水開閉弁部の連通口及び弁座が設けられている前記本体の前記通水路を形成する部位よりも上側に設けられたスリーブ状部の内部に、上下に変位可能にシールされて配され、前記コマ軸には、前記スリーブ状部の内部であって前記ピストン状軸部の上側と、前記通水路とを連通する連通軸孔が設けられている。
【００１０】
また、本発明にかかる不凍水抜栓の一形態によれば、前記ピストン状軸部と、前記連通口との直径が同等に設けられていることを特徴とすることができる。
【００１１】
また、本発明にかかる不凍水抜栓の一形態によれば、前記上下動操作機構が、前記本体のスリーブ状部の上側に設けられた雌螺子部に、雄螺子部を備えるスピンドルが螺合し、該スピンドルの先端連結部が、回転動は伝達しないで上下動を伝達するように、前記コマ軸の後端連結部に回転自在且つ上下方向に一体化するように連結されることで構成されていることを特徴とすることができる。
【００１２】
また、本発明にかかる不凍水抜栓の一形態によれば、前記本体が、前記通水路を形成する下部本体と、前記スリーブ状部及び前記水抜通路を形成する上部本体とによって構成されていることを特徴とすることができる。
【００１３】
また、本発明にかかる不凍水抜栓の一形態によれば、前記水抜用弁体が、前記コマ軸の中途軸部が挿通されることで上下方向に案内されるように挿通孔を備えるリング状に形成されており、該水抜用弁体と前記止水用弁体との間に、該水抜用弁体を前記水抜通路の排水口を閉じる方向へ付勢する弾性部材が配されていることを特徴とすることができる。
【発明の効果】
【００１４】
本発明にかかるバルブ、水栓及び不凍水抜栓によれば、より均一且つより小さな操作抵抗で閉塞操作ができるという特別有利な効果を奏する。
【図面の簡単な説明】
【００１５】
【図１】本発明にかかる水栓の形態例であって止水状態を示す断面図である。
【図２】図１の形態例の要部を示す要部断面図である。
【図３】図１の形態例の通水状態を示す要部断面図である。
【図４】本発明にかかる不凍水抜栓の形態例であって水抜きがなされている状態を示す断面図である。
【図５】図４の形態例の要部を示す要部断面図である。
【図６】図４の形態例の通水時の状態を示す要部断面図である。
【発明を実施するための形態】
【００１６】
以下、本発明にかかる水栓の形態例を添付図面（図１〜３）に基づいて説明する。この水栓は、本体１０の内部に、止水用弁体３１の上下の変位によって通水路１１の開閉を行う通水開閉弁部３０が設けられ、止水用弁体３１の上下の操作を行う上下動操作機構７０を備えている。
【００１７】
そして、止水用弁体３１が固定状態に配される先端軸部５１と、その先端軸部５１の上側に設けられたピストン状軸部５３と、そのピストン状軸部５３の上側に設けられて上下動操作機構７０に連結される後端連結部５４とが設けられたコマ軸５０を備え、そのコマ軸５０のピストン状軸部５３が、通水開閉弁部３０の連通口１２及び弁座１３が設けられている本体１０の通水路１１を形成する部位よりも上側に設けられたスリーブ状部１４の内部に、上下に変位可能にシールされて配され、コマ軸５０には、スリーブ状部１４の内部であってピストン状軸部５３の上側と、通水路１１とを連通する連通軸孔５５が設けられている。
【００１８】
これによれば、圧水が連通軸孔５５によって連通するため、ピストン状軸部５３の上側と、ピストン状軸部５３の通水路１１の側との間の水圧が同等となるため、図３の通水状態から図１及び２に示す止水状態とする止水操作を、より均一且つより小さな操作抵抗で行うことができるという特別有利な効果を奏する。すなわち、止水用弁体３１が連通口１２を完全に閉塞するまで、操作にかかる抵抗が増大しないため、軽い力でスムースに操作できる。
【００１９】
次に、本発明にかかる不凍水抜栓の形態例を添付図面（図４〜６）に基づいて詳細に説明する。この不凍水抜栓は、本体１０の内部に、止水用弁体３１の上下の変位によって通水路１１の開閉を行う通水開閉弁部３０の上側に、水抜用弁体４１の上下の変位によって水抜通路２０の開閉を行う水抜開閉弁部４０が配され、通水開閉弁部３０及び水抜開閉弁部４０が上下動操作機構７０による上下動で連係操作され、通水と水抜きとの切換えを行う水抜きができる水栓になっている。
【００２０】
５０はコマ軸であり、止水用弁体３１が固定状態に配される先端軸部５１と、その先端軸部５１の上側に設けられ水抜用弁体４１に挿通された状態でその水抜用弁体４１の上下の変位を案内する中途軸部５２と、その中途軸部５２の上側に設けられたピストン状軸部５３と、そのピストン状軸部５３の上側に設けられて上下動操作機構７０に連結される後端連結部５４とを備えるもので、本体１０の後述するスリーブ状部１４と軸心を同じくしてその軸心に沿って上下に変位できるように配されている。本形態例では先端軸部５１から後端連結部５４までが、一体的に形成された部材になっている。なお、本形態例の止水用弁体３１は、コマ軸５０の先端軸部５１に、Ｏ−リングによってシールされた状態でＥ形止め輪によって着脱交換できるように固定されている。
【００２１】
また、そのコマ軸５０のピストン状軸部５３が、通水開閉弁部３０の連通口１２及び弁座１３が設けられている本体１０の通水路１１を形成する部位よりも上側に設けられたスリーブ状部１４の内部に、上下に変位可能にシールされて配されている。本形態例では、ピストン状軸部５３の外周溝に嵌められた状態に装着された２本のＯ−リングによってシールがなされている。そして、コマ軸５０には、スリーブ状部１４の内部であってピストン状軸部５３の上側と、通水路１１とを連通する連通軸孔５５が設けられている。本形態例の連通軸孔５５は、コマ軸５０の軸心を貫通する形態になっている。
【００２２】
これによれば、圧水が連通軸孔５５によって連通するため、ピストン状軸部５３の上側と、ピストン状軸部５３の通水路１１の側との間の水圧が同等となるため、より均一且つより小さな操作抵抗で止水操作を含む通水と水抜きとの切換え操作ができるという特別有利な効果を奏する。すなわち、止水用弁体３１が連通口１２を完全に閉塞するまで、操作にかかる抵抗が増大しないため、軽い力でスムースに操作できる。
【００２３】
また、本形態例では、ピストン状軸部５３と、連通口１２との直径が同等に設けられている。すなわち、本体１０の内部で、通水路１１側に開口してピストン状軸部５３がシールされた状態で摺動するスリーブ状部１４の内径と、通水開閉弁部３０の連通口１２の内径とが、同等の直径になっており、コマ軸５０の上下面について受ける圧力を均衡させることができる。これによれば、コマ軸５０が、水圧を上下の両側から均等に受けて、受圧について中立状態とすることができるため、そのコマ軸５０上下動操作にかかる抵抗を低減することができ、作業者は軽い力で容易に操作することができる。
【００２４】
また、本形態例では、上下動操作機構７０が、本体１０（上部本体１０ａ）のスリーブ状部１４の上側で同軸に設けられた雌螺子部１６に、雄螺子部７１ａを備えるスピンドル７１が螺合し、そのスピンドル７１の先端連結部７１ｂが、回転動は伝達しないで上下動を伝達するように、コマ軸５０の後端連結部５４に回転自在且つ上下方向に一体化するように連結されることで構成されている。さらに、本形態例では、この上部本体１０ａの雌螺子部１６の上側には、軸シール部１７が同軸に設けられており、内周溝に嵌められた状態に装着された２本のＯ−リングによってスピンドル７１に対するシールがなされている。これによれば、シンプルな構成で、ハンドル７３の回転動作によってコマ軸５０の上下動操作を、確実に行うことができる。また、５６はワッシャであり、コマ軸５０とスリーブ状部１４の上底部に介在して両者を保護できるように、本形態例では樹脂によって形成されている。
【００２５】
また、本形態例では、本体１０が、通水路１１を形成する下部本体１０ｂと、スリーブ状部１４及び水抜通路２０を形成する上部本体１０ａとによって構成されている。すなわち、本形態例では、上部本体１０ａに、スリーブ状部１４と、そのスリーブ状部１４を形成する周壁１５に水抜通路２０とが形成されており、シンプルな形態で合理的なデザインになっている。
【００２６】
さらに、本形態例では、水抜用弁体４１が、挿通孔４４を備えるリング状に形成されており、その挿通孔４４に、コマ軸５０の中途軸部５２が挿通された状態となっていることで上下方向に案内される。そして、その水抜用弁体の下面４５と止水用弁体の上面３５との間に、その水抜用弁体４１を水抜通路２０の排水口２１を閉じる方向へ付勢する弾性部材６０が配されている。また、この水抜用弁体４１は、コマ軸５０の下方の変位によって、ピストン状軸部５３の段部下面５３ａが当接されて下方へ押圧されることで、水抜通路２０の排水口２１を開くように配されている（図４及び５を参照）。なお、本形態例の排水口２１は上部本体１０ａの下面にリング状の溝状に形成されている。
【００２７】
これによれば、止水用弁体３１によって止水が確実になされた後で、水抜用弁体４１の下方への変位によって水抜通路２０の排水口２１が開く操作を適切に行うことができ、図６に示す通水状態（水抜通路２０については止水状態）から、図４及び５に示す水抜き状態（通水路１１については止水状態）への切り換えを、水漏れを生じさせないように適切に行うことができる。また、反対に、水抜き状態（通水路１１については止水状態）から、通水状態（水抜通路２０については止水状態）への切り換えについても、同様に、タイムラグを生じさせて水漏れを生じさせないように適切に行うことができる。
【００２８】
本形態例の止水用弁体３１は、止水弁体基部３２及び止水パッキン３３によって構成されており、下方に変位した初期の段階で止水パッキン３３の下端側に設けられたリング状凸周部３３ａが弁座状開口である連通口１２の弁座内周１３ｂに嵌って仮にシール（周シール）して通水を止めることができ、さらに下方に変位した段階で、止水パッキン３３のリング状水平段部であるパッキン下面３３ｂが連通口１２の周縁の弁座１３の上面シール面１３ａに当接して、強固にシール（面シール）できる形態になっている。これによれば、連通口１２の閉塞シールが確実・強固になされるまでのタイムラグの間に、水抜用弁体４１がコマ軸５０のピストン状軸部５３によって下方に押されて、水抜通路２０が開く構成になっている。すなわち、連通口１２の閉塞シールが確実且つ適切になされた後に、水抜通路２０が適切に開くように設けられており、通水と水抜きとの切換え操作がなされている間に水漏れが起こらない構成になっている。また、反対に水抜き状態から通水状態への切換えがなされる際にも、弾性部材６０によって水抜用弁体４１を押圧することで排水口２１の閉塞シールが確実且つ適切になされた後に、連通口１２が適切に開くように設けられており、水漏れが起こらない構成になっている。
【００２９】
本形態例の本体１０は、一方の側部に設けられた一方の連通接続部１１ａ及び他方の側部に設けられた他方の連通接続部１１ｂを備え、内部に一方の連通接続部１１ａと他方の連通接続部１１ｂとを上下方向（軸方向）に開口して連通させる連通口１２を備えると共に、その連通口１２の上側に軸方向に開口し、コマ軸５０の軸方向への変位をシールして案内するスリーブ状部１４を備える。本形態例の一方の連通接続部１１ａは、水道本管側の管路（配管）に接続され、本形態例の他方の連通接続部１１ｂは、蛇口側の配管に接続されるように設けられている。
【００３０】
また、本形態例の本体１０では、一方の連通接続部１１ａの流路と他方の連通接続部１１ｂの流路とを隔離する隔壁部１０ｅの水平部分に、両者を連通する連通口１２が上下方向に開口して設けられ、その連通口１２を形成する孔縁が、前述したように止水用弁体３１によってシールされる弁座１３になっている。なお、本形態例では、一方の連通接続部１１ａが水道本管に接続されるため、水道水は、連通口１２の下側から上側へ流れる。
【００３１】
また、本形態例の下部本体１０ｂの上端部には、上部本体１０ａとその上部本体１０ａの雄螺子接続部１０ｃに螺合して接続・合体するための雌螺子接続部１０ｄと、外筒８０が接続・固定されるための外筒接続用雄螺子部１８とが設けられている。また、外筒８０の下部で、外筒８０の上部本体１０ａと接続された部位の上側近傍には、砂止めカバー９０が装着される装着用孔８１と、水抜きによる排水が通過できる排水孔８２が設けられている。これにより、水抜きによる排水が、砂止めカバー９０の内側を通って外部へ排出されるようになっている。
【００３２】
本形態例の水抜通路２０の構成は、上部本体１０ａの周壁１５に上下に連通する排水連通孔２２（水抜通路２０）の排水口２１が下方へ開口しており、その排水口２１を形成する孔縁部の下面が、水抜用弁体４１の水抜パッキン４３が当接する弁座を形成するシール面になっていると共に、その排水連通孔２２を形成する孔縁部の上面が、球弁２３が納まって逆止弁の効果を奏するための弁座を構成するように、凹面状に形成されている。なお、２４は球弁抑えキャップであり、球弁２３が所要のスペース内に納まるように装着されている。
【００３３】
本形態例の弾性部材６０は、コイルスプリングによって設けられており、その水抜用弁体の下面４５になっている部分と止水用弁体の上面３５になっている部分との間に配置されている。なお、この弾性部材６０の配置は、水抜用弁体４１と止水用弁体３１との間に、その水抜用弁体４１を上方へ付勢するように弾装・配置されていればよく、本実施例に限定されるものではなく、また、弾性部材６０はスプリングコイルに限定されず、他の弾性部材を適宜利用できるのは勿論である。
【００３４】
また、本形態例では、操作部である上下動操作機構７０が、コマ軸５０に連結されるスピンドル７１と、そのスピンドル７１に連結されるロット７２と、そのロット７２の上側に装着されたハンドル７３とを備え、外筒８０の上端に固定されたキャップ７５によって、ロット７２が軸心に位置するように保持されている。これによれば、上下動操作機構７０を、シンプル且つ適切に構成できる。また、本形態例では、キャップ７５と本体１０との間に内筒７６が配置されて構造的な補強がなされており、その内筒７６の内部にスピンドル７１とロット７２とが同軸に挿入されて保護されている。
【００３５】
なお、本発明にかかる操作部である上下動操作機構７０は、本形態例のようなスピンドル７１によるネジ込み式の上下動作機構に限定されるものではなく、上下方向に変位・移動させて保持することができる動作機構であれば、周知の動作機構を適宜選択的に採用できることは勿論であり、例えば、レバー機構による上下動作機構、スラストロック機構による上下動作機構、またはフック機構による保持を利用した上下動作機構を採用できる。
【００３６】
また、本発明の技術思想は、水道水などの水のバルブに限定されず、流体の流路を開閉する他のバルブとして応用できる。すなわち、本発明は、本体１０の内部に、開閉弁体（水栓の止水用弁体３１に相当）の変位によって流路（通水路１１）の開閉を行う開閉弁部（水栓の通水開閉弁部３０に相当）が設けられ、開閉弁体３１の変位操作を行う変位動操作機構（水栓の上下動操作機構７０に相当）を備えるバルブに適用でき、開閉弁体３１が固定状態に配される先端軸部５１と、その先端軸部５１に連続して設けられたピストン状軸部５３と、そのピストン状軸部５３に連続して設けられて変位動操作機構７０に連結される後端連結部５４とが設けられたコマ軸５０を備え、そのコマ軸５０のピストン状軸部５３が、開閉弁部３０の連通口１２及び弁座１３が設けられている本体１０の流路１１を形成する部位よりも変位動操作機構７０側に設けられたスリーブ状部１４の内部に、変位可能にシールされて配され、コマ軸５０には、スリーブ状部１４の内部であってピストン状軸部５３の変位動操作機構７０側と、流路１１とを連通する連通軸孔５５が設けられていることを特徴とすることができる。
【００３７】
これによれば、地中に埋設されるために上下の位置関係が定まる水栓や不凍水抜栓とは異なって、変位動操作機構７０の方向性が限定されないバルブであって、流体の流路の開閉を行うバルブ全般について、適切に応用でき、前述した水栓や不凍水抜栓についての効果と同等の効果を得ることができる。
【００３８】
また、本発明につき好適な形態例を挙げて種々説明してきたが、本発明は以上の形態例に限定されるものではなく、発明の精神を逸脱しない範囲内で多くの改変を施し得るのは勿論のことである。
【符号の説明】
【００３９】
１０  本体
１０ａ  上部本体
１０ｂ  下部本体
１０ｃ  雄螺子接続部
１０ｄ  雌螺子接続部
１０ｅ  隔壁部
１１  通水路（流路）
１１ａ  一方の連通接続部
１１ｂ  他方の連通接続部
１２  連通口
１３  弁座
１３ａ  上面シール面
１３ｂ  弁座内周
１４  スリーブ状部
１５  周壁
１６  雌螺子部
１７  軸シール部
１８  外筒接続用雄螺子部
２０  水抜通路
２１  排水口
２２  排水連通孔
２３  球弁
２４  球弁抑えキャップ
３０  通水開閉弁部（開閉弁部）
３１  止水用弁体（開閉弁体）
３２  止水弁体基部
３３  止水パッキン
３３ａ  リング状凸周部
３３ｂ  パッキン下面
３５  止水用弁体の上面
４０  水抜開閉弁部
４１  水抜用弁体
４２  水抜弁体基部
４３  水抜パッキン
４４  挿通孔
４５  水抜用弁体の下面
５０  コマ軸
５１  先端軸部
５２  中途軸部
５３  ピストン状軸部
５３ａ  段部下面
５４  後端連結部
５５  連通軸孔
５６  ワッシャ
６０  弾性部材
７０  上下動操作機構（変位動操作機構）
７１  スピンドル
７１ａ  雄螺子部
７１ｂ  先端連結部
７２  ロット
７３  ハンドル
７５  キャップ
７６  内筒
８０  外筒
８１  装着用孔
８２  排水孔
９０  砂止めカバー
【図１】
2019112771.tif 000003
【図２】
2019112771.tif 000004
【図３】
2019112771.tif 000005
【図４】
2019112771.tif 000006
【図５】
2019112771.tif 000007
【図６】
2019112771.tif 000008